(57)【要約】      （修正有）【課題】第１群が簡易な構成で、無限遠物体から近距離物体に至る全フォーカス領域にわたり、変動が抑制された良好な光学性能を有する小型軽量なズームレンズを提供する。【解決手段】物体側から像側へ順に、正の屈折力を有する第１群Ｆ、負の屈折力を有しズーミングに際して移動する第２群Ｖ、第３群Ｃ、絞りＳＰ、正の屈折力を有する第４群Ｒを有し、前記第１群は、物体側から像側へ順に、負の屈折力を有し移動しない第１１群、正の屈折力を有しフォーカシングに際して移動する第１２群、正の屈折力を有し移動しない第１３群からなり、ν11aを第１１群のアッベ数の平均値、ν12apを第１２群の正レンズのアッベ数の平均値、ν12anを第１２群の負レンズのアッベ数の平均値としたとき、9×106＜ν11a3×（ν12ap-ν12an)＜45×106を満足する。【選択図】図１
2014232313.tif 000002
【特許請求の範囲】
【請求項１】
物体側から像側へ順に、正の屈折力を有する第１レンズ群、負の屈折力を有しズーミングに際して移動する第２レンズ群、第３レンズ群、絞り、正の屈折力を有する第４レンズ群を有し、
前記第１レンズ群は、物体側から像側へ順に、負の屈折力を有し移動しない第１１レンズ群、正の屈折力を有しフォーカシングに際して移動する第１２レンズ群、正の屈折力を有し移動しない第１３レンズ群からなり、
前記第１１レンズ群は負レンズのみで構成され、第１２レンズ群は少なくとも１枚の正レンズ及び少なくとも１枚の負レンズから構成され、
ν11aを第１１レンズ群のアッベ数の平均値、ν12apを第１２レンズ群の正レンズのアッベ数の平均値、ν12anを第１２レンズ群の負レンズのアッベ数の平均値としたとき、
9×106＜ν11a3×（ν12ap-ν12an)＜45×106
を満足することを特徴とするズームレンズ。
【請求項２】
φ11を第１１レンズ群の屈折力、φ12を第１２レンズ群の屈折力、φ1を第１レンズ群の屈折力とした時、
1.8＜|φ11／φ12|＜ 7.0
0.5＜|φ11／φ1|＜ 1.0 
を満足することを特徴とする請求項１に記載のズームレンズ。
【請求項３】
θ11aを第１１レンズ群の部分分散比の平均値、θ12apを第１２レンズ群の正レンズの部分分散比の平均値、θ12anを第１２レンズ群の負レンズの部分分散比の平均値としたとき、
0.020＜ θ11a×（θ12an-θ12ap) ＜0.046
を満足することを特徴とする請求項１又は２に記載のズームレンズ。
【請求項４】
φ13を第１３レンズ群の屈折力、ν13aを第１３レンズ群のアッベ数の平均値とした時、
0.5＜ν11a／ (ν13ap-ν13an) ＜4.0
0.6＜φ13／φ1＜ 1.5
を満足することを特徴とする請求項１乃至３のいずれか１項に記載のズームレンズ。
【請求項５】
φ2を第２レンズ群の屈折力とした時、
0.15＜|φ1／φ2|＜0.30
を満足することを特徴とする請求項１乃至４のいずれか１項に記載のズームレンズ。
【請求項６】
請求項１乃至５のいずれか１項に記載のズームレンズと、該ズームレンズからの光を受光する撮像素子と、を備えることを特徴とする撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
従来から、テレビカメラ、銀塩フィルム用カメラ、デジタルカメラ、ビデオカメラ等の撮像装置には、物体側から順に、フォーカスレンズ群を有する正の第１レンズ群、ズーミングの為の負の第２レンズ群、ズーミングに伴う像面変動を補正する正または負の第３レンズ群、結像の為の正の第４レンズ群からなるズームレンズが提案されている。
【０００３】
特に、物体距離による性能の変動の抑制、フォーカシングに伴う画角の変化の抑制、及び広角化の為に有利な構成とされる、前記第１レンズ群が、物体側から順に、固定で負の第１１レンズ群、フォーカスの為の正の第１２レンズ群、固定で正の第１３レンズ群から成るズームレンズが提案されている。
【０００４】
特許文献１は広角端の画角が78°以下の実施例が開示されている。第１１レンズ群には少なくとも１枚の正レンズ、第１２レンズ群には少なくとも１枚の正レンズと貼り合わせレンズを有することで、全変倍域、及び物体距離全般に渡り、良好な光学性能を実現している。
【０００５】
特許文献２は広角端の画角が99°以下の実施例が開示されている。第１２レンズ群に非球面レンズを適切に配することで、物体距離全般にわたり高い光学性能を得ている。
【０００６】
特許文献３は広角端の画角が78°以下の実施例が開示されている。第１１レンズ群、及び第１３レンズ群に非球面レンズを配することで、全変倍範囲にわたって高い光学性能を実現している。
【０００７】
特許文献４は広角端の画角が78°以下の実施例が開示されている。第１２レンズ群、及び第１３レンズ群に非球面レンズを配し、第１１レンズ群乃至第１３レンズ群の屈折力を適切に配することで、全フォーカス範囲にわたり高い光学性能を実現している。
【０００８】
特許文献５は広角端の画角が74°以下の実施例が開示されている。各レンズ群の横倍率や焦点距離を適切に配することで、フォーカシングに伴う画角変動の軽減を実現している。
【０００９】
特許文献６は広角端の画角が75°以下の実施例が開示されている。第１レンズ群、及び第２レンズ群のパワーや硝種を適切に配することで、広画角且つ高ズーム比、全ズーム範囲にわたり高い光学性能を実現している。
【００１０】
特許文献７は広角端の画角が81°以下の実施例が開示されている。第１１レンズ群、第１２レンズ群、第１３レンズ群のレンズの構成を適切に配することで、高い光学性能を維持しつつ、第１レンズ群の小型化及び軽量化を実現している。
【００１１】
特許文献８は広角端の画角が75°以下の実施例が開示されている。第２レンズ群を第２Ａレンズ群と第２Ｂレンズ群に分けてズームに際しお互いの間隔を変化させることにより、全ズーム領域及び全フォーカス領域で性能の変動を小さく保ちつつ、全レンズ系の小型軽量化を実現している。
【００１２】
特許文献９は広角端の画角が64°以下の実施例が開示されている。第１１レンズ群、及び第１２レンズ群の焦点距離や使用硝種を適切に配することで、高変倍で広画角の至近距離の短い仕様のレンズを実現している。
【先行技術文献】
【特許文献】
【００１３】
【特許文献１】特開平９−１５５０１号公報
【特許文献２】特開２００９−４２３４６号公報
【特許文献３】特開２０００−３２１４９６号公報
【特許文献４】特開２００１−２１８０４号公報
【特許文献５】特開２００１−１１６９９３号公報
【特許文献６】特開２０１２−１１３１３９号公報
【特許文献７】特開２００５−２４９９７４号公報
【特許文献８】特開平１０−３１１５７号公報
【特許文献９】特開平６−２４２３７８号公報
【発明の概要】
【発明が解決しようとする課題】
【００１４】
特許文献１、及び特許文献９の数値実施例１、数値実施例２では、広角化や高変倍化しても、全ズーム領域、全フォーカス領域にわたり高い光学性能を維持する為に、第１１レンズ群に少なくとも正レンズ１枚、負レンズ２枚の計３枚が構成されている。
【００１５】
また、特許文献９の数値実施例３では、第１１レンズ群に負レンズ２枚、第１２レンズ群に正レンズ１枚、接合レンズ１枚から構成されている。比較的簡易な構成で第１１レンズ群が構成されているものの、全フォーカス領域にわたり軸上色収差の変動を抑制することは困難である。
【００１６】
そこで本発明では、特に放送用の高倍率ズームレンズに最適で、前記第１レンズ群が簡易な構成で、無限遠物体から近距離物体に至る全フォーカス領域にわたり、変動が抑制された良好な光学性能を有する小型軽量なズームレンズ及びそれを有する撮像装置の提供を目的とする。
【課題を解決するための手段】
【００１７】
本発明のズームレンズおよびそれを有する撮像装置は、物体側から像側へ順に、正の屈折力を有する第１レンズ群、負の屈折力を有しズーミングに際して移動する第２レンズ群、第３レンズ群、絞り、正の屈折力を有する第４レンズ群を有し、前記第１レンズ群は、物体側から像側へ順に、負の屈折力を有し移動しない第１１レンズ群、正の屈折力を有しフォーカシングに際して移動する第１２レンズ群、正の屈折力を有し移動しない第１３レンズ群からなり、前記第１１レンズ群は負レンズのみで構成され、第１２レンズ群は少なくとも１枚の正レンズ及び少なくとも１枚の負レンズから構成され、ν11aを第１１レンズ群のアッベ数の平均値、ν12apを第１２レンズ群の正レンズのアッベ数の平均値、ν12anを第１２レンズ群の負レンズのアッベ数の平均値としたとき、
9×106＜ν11a3×（ν12ap-ν12an)＜45×106
を満足することを特徴とする。
【００１８】
本発明のズームレンズおよびそれを有する撮像装置は、好ましくは、φ11を第１１レンズ群の屈折力、φ12を第１２レンズ群の屈折力、φ1を第１レンズ群の屈折力とした時、 
1.8＜|φ11／φ12|＜ 7.0
0.5＜|φ11／φ1|＜1.0 
を満足する。
【００１９】
本発明のズームレンズおよびそれを有する撮像装置は、好ましくは、θ11aを第１１レンズ群の部分分散比の平均値、θ12apを第１２レンズ群の正レンズの部分分散比の平均値、θ12anを第１２レンズ群の負レンズの部分分散比の平均値としたとき、
0.020＜ θ11a×（θ12an-θ12ap) ＜0.046
を満足するのがよい。但し、各波長iの屈折率をNiとしたとき、部分分散比θ＝(Ng-Nf)/(Nf-Nc)とする。
【００２０】
本発明のズームレンズおよびそれを有する撮像装置は、更に好ましくは、φ13を第１３レンズ群の屈折力、ν13aを第１３レンズ群のアッベ数の平均値としたとき、
0.5＜ν11a／ (ν13ap-ν13an) ＜4.0
0.6＜φ13／φ1＜ 1.5
を満足するのがよい。
【００２１】
また、φ2を第２レンズ群の屈折力としたとき、
0.15＜|φ1／φ2|＜0.30
を満足するのがよい。
【００２２】
本発明の更なる目的又はその他の特徴は、以下、添付の図面を参照して説明される好ましい実施例等によって明らかにされるであろう。
【発明の効果】
【００２３】
本発明によれば、前記第１レンズ群が簡易な構成で、無限遠物体から近距離物体に至る全フォーカス領域にわたり、変動が抑制された良好な光学性能を有する小型軽量なズームレンズの提供することができる。
【図面の簡単な説明】
【００２４】
【図１】数値実施例１の広角端、無限遠合焦時の断面図
【図２】数値実施例１の広角端、2.5m合焦時の収差図
【図３】数値実施例１の望遠端、3.5m合焦時の収差図
【図４】数値実施例１の望遠端、無限遠合焦時の収差図
【図５】数値実施例１の望遠端、0.85m合焦時の収差図
【図６】数値実施例２の広角端、無限遠合焦時の断面図
【図７】数値実施例２の広角端、2.5m合焦時の収差図
【図８】数値実施例２の望遠端、3.5m合焦時の収差図
【図９】数値実施例２の望遠端、無限遠合焦時の収差図
【図１０】数値実施例２の望遠端、0.85m合焦時の収差図
【図１１】数値実施例３の広角端、無限遠合焦時の断面図
【図１２】数値実施例３の広角端、3.5m合焦時の収差図
【図１３】数値実施例３の望遠端、3.5m合焦時の収差図
【図１４】数値実施例３の望遠端、無限遠合焦時の収差図
【図１５】数値実施例３の望遠端、0.6ｍ合焦時の収差図
【図１６】正レンズ群の２色色消しと二次スペクトル残存に関する模式図
【図１７】光学材料のアッベ数νと部分分散比θの分布の模式図
【発明を実施するための形態】
【００２５】
本発明のズームレンズを添付の図を参照しながら詳細に説明する。
本発明のズームレンズは、物体側から順に、正の屈折力を有する第１レンズ群、負の屈折力を有するズーミングに際して移動する第２レンズ群、像面位置を補正するに光軸方向に移動する第３レンズ群、絞り、正の屈折力を有する結像の為の第４レンズ群を有する。第１レンズ群は、負の屈折力を有する不動の第１１レンズ群、正の屈折力を有するフォーカス調整（フォーカシング）に際して移動する第１２レンズ群、正の屈折力を有する不動の第１３レンズ群からなる。第１１レンズ群は負の屈折力を有するレンズのみで構成され、第１２レンズ群は少なくとも１枚の正レンズ及び負レンズから構成される。
【００２６】
本発明のズームレンズは、第１１レンズ群の屈折力をφ11、第１２レンズ群の屈折力をφ12、第１レンズ群の屈折力をφ1、第１１レンズ群のアッベ数の平均値をν11a、第１２レンズ群の正の屈折力を有するレンズのアッベ数の平均値をν12ap、第１２レンズ群の負の屈折力を有するレンズのアッベ数の平均値をν12anとしたとき、以下の条件式を満足する。 
9×106＜ν11a3×（ν12ap-ν12an)＜45×106    （1）
1.8＜|φ11／φ12|＜ 7.0                      （2）
0.5＜|φ11／φ1|＜1.0                        （3）
【００２７】
好ましくは、第１１レンズ群を構成するレンズの材料の部分分散比の平均値をθ11a、第１２レンズ群の正の屈折力を有するレンズの材料の部分分散比の平均値をθ12ap、第１２レンズ群の負の屈折力を有するレンズを構成する材料の部分分散比の平均値をθ12anとした時、以下の条件式を満足する。
0.020＜ θ11a×（θ12an-θ12ap) ＜0.046     （4）
但し、各波長iの屈折率をNiとしたとき、部分分散比θ＝(Ng-Nf)/(Nf-Nc)とする。
【００２８】
更に好ましくは、第１３レンズ群の屈折力をφ13、第１３レンズ群を構成するレンズの材料のアッベ数の平均値をν13aとした時、以下の条件式を満足する。
0.5＜ν11a／ (ν13ap-ν13an) ＜4.0           （5）
0.6＜φ13／φ1＜ 1.5                         （6）
【００２９】
また、第２レンズ群の屈折力をφ2とした時、以下の条件式を満足する。
0.15＜|φ1／φ2|＜0.30                       （7）
（1）乃至（7）の各条件式で、ズームレンズの構成や、レンズ材料の分散特性、その屈折力の条件を規定することにより、ズームレンズの小型軽量化と、望遠端における軸上色収差の二次スペクトルの補正と、無限遠物体から近距離物体に至る全フォーカス領域にわたり、性能の変動が抑制された良好な光学性能を実現するための条件を規定している。
【００３０】
望遠端における軸上色収差の二次スペクトルの概要を図１６と図１７を用いて説明する。図１６に正レンズ群の２色色消しと二次スペクトル残存に関する模式図を示す。図１７に現存する光学材料のアッベ数νと部分分散比θの分布の模式図を示す。ここでのアッベ数νおよび部分分散比θは、ｇ線における屈折率をＮｇ、Ｆ線における屈折率をＮＦ、ｄ線における屈折率をＮｄ、Ｃ線における屈折率をＮＣとしたとき、
ν  ＝  （Ｎｄ−１）／（ＮＦ−ＮＣ）          （8）
θ  ＝  （Ｎｇ−ＮＦ）／（ＮＦ−ＮＣ）        （9）
である。図１７に示すように、現存する光学材料はνに対しθが狭い範囲に分布しており、νが小さいほどθが大きい傾向を持っている。
【００３１】
所定の屈折力φであり、屈折力φ１、φ２、アッベ数ν１、ν２の２枚のレンズ１、２で構成される薄肉系の色収差補正条件は、
φ１／ν１＋φ２／ν２  ＝  ０                （10）
であらわされる。ここで、
φ  ＝  φ１＋φ２                            （11）
である。（10）式を満たす場合、Ｃ線−Ｆ線の結像位置が合致する。
【００３２】
この時のφ１、φ２は以下の式で表される。
φ１  ＝  φ×ν１／（ν１−ν２）            （12）
φ２  ＝  −φ×ν２／（ν１−ν２）          （13）
【００３３】
図１６において、正レンズ群の色消しでは正レンズ１としてアッベ数ν１の大きな材料、負レンズ２としてν２の小さな材料を用いる。したがって図１７より正レンズ１はθ１が小さく、負レンズ２はθ２が大きくなって、Ｆ線とＣ線で色収差を補正するとｇ線の結像点が像側にずれる。このずれ量を二次スペクトル量△として定義すると、
△  ＝  −（１／φ）×（θ１−θ２）／（ν１−ν２）    （14）
であらわされる。
【００３４】
ここで、第１１レンズ群、第１２レンズ群、第１３レンズ群、変倍系以降のレンズ群の二次スペクトル量を、各々△11、△12、Δ13、△Ｚとし、第１２レンズ群、第１３レンズ群、変倍系以降のレンズ群の結像倍率をβ12、β13、βＺとすると、レンズ全系における二次スペクトル量△は以下の式で表される。
△  ＝  △11×β122×β132×βＺ2
＋△12×（１−β12）×β132・βＺ2
＋△13×（１−β13）×βＺ2
＋△Ｚ×（１−βＺ）                  （15）
△は、望遠側で軸上マージナル光線が高い位置を通る第１１レンズ群乃至第１３レンズ群で顕著に発生する。したがって、第１１レンズ群乃至第１３レンズ群で発生する軸上色収差の二次スペクトル量△１１、Δ１２、Δ１３の合計を抑制することで望遠側の軸上色収差△を低減することが出来る。
【００３５】
次に、無限遠物体から近距離物体に至る全フォーカス領域での性能の変動について説明する。ここで、無限遠物体における二次スペクトル量をΔinf、撮影可能な最至近距離物体における二次スペクトル量をΔmodとする。また、無限遠物体における第１１レンズ群、第１２レンズ群の二次スペクトル量をΔ11inf、Δ12infとし、近距離物体における第１１レンズ群、第１２レンズ群の二次スペクトル量をΔ11mod、Δ12modとする。また、無限遠物体における第１２レンズ群の結像倍率をβ12inf、最至近距離物体における第１２レンズ群の結像倍率をβ12modとする。第１２レンズ群がフォーカス群である為、物体距離によらず第１３レンズ群の物点の光軸上の位置は変化しない。故に、Δ13、ΔＺ、β13、βＺは物体距離により変化しない。このとき、無限遠物体に対する近距離物体での軸上色収差の二次スペクトルの変動量Δobjは（13）式より以下の式で表わせる。
Δobj＝Δmod−Δinf
＝｛（Δ11mod×β12mod2−Δ11inf×β12inf2）
−（Δ12mod×β12mod−Δ12inf×β12inf）
＋(Δ12mod−Δ12inf)｝×β132×βＺ2         (16)
【００３６】
（16）式の｛｝内の絶対値を抑制すれば、無限遠物体から近距離物体に至る全フォーカス領域にわたり、軸上色収差性能の変動を抑制出来る。（1）乃至（7）の各条件式で、ズームレンズの構成や、レンズ材料の分散特性、その屈折力の条件を規定することにより、（16）式の｛｝内の絶対値を抑制することができる。
【００３７】
条件式（1）は、正負レンズのアッベ数νの関係を規定したものである。条件式（1）の上限を超えると、ズーム全域で軸上色収差と倍率色収差の性能バランスを維持するのが困難となる。また、条件式（1）の下限を超えると、全フォーカス領域にわたる軸上色収差の変動の抑制が困難となる。条件式（1）は、以下の範囲であることが更に好ましい。
9×106＜ν11a3×（ν12ap-ν12an)＜30×106      （1a）
【００３８】
条件式（2）は、第１１レンズ群と第１２レンズ群の屈折力の関係を規定したものである。第１１レンズ群の屈折力φ11が大きくなり、条件式（2）の上限を超えると、（16）式のΔ11infからΔ11modの変動が大きくなり、全フォーカス領域にわたる軸上色性能の変動の抑制が困難となる。
【００３９】
また、第１２レンズ群の屈折力φ12が小さくなり、条件式（2）の上限を超えると、第１２レンズ群のフォーカシングによる移動量が大きくなり、小型軽量化が困難となる。また、第１１レンズ群の屈折力φ11が小さくなり、条件式（2）の下限を超えると、第１レンズ群のレンズ外径が大きくなり、小型軽量化が困難になる。また、ズームレンズの広角化が困難となったり、第１レンズ群と第２レンズ群のレンズ間隔の確保が困難となる。第１２レンズ群の屈折力φ12が大きくなり、条件式（2）の下限を超えると、（16）式のΔ12infからΔ12modの変動や、β12infからβ12modの変動が大きくなり、全フォーカス領域にわたる軸上色収差の変動の抑制が困難となる。条件式（2）は、以下の範囲であることが更に好ましい。
1.8＜|φ11／φ12|＜ 7.0                        （2a）
【００４０】
条件式（3）は、第１１レンズ群と第１レンズ群全体の屈折力の関係を規定したものである。第１１レンズ群の屈折力φ11が大きくなり、条件式（3）の上限を超えると、（16）式のΔ11infからΔ11modの変動が大きくなり、全フォーカス領域にわたる軸上色性能の変動の抑制が困難となる。第１レンズ群の屈折力φ1が小さくなり、条件式（3）の上限を超えると、第１レンズ群のレンズ外径が大きくなり小型軽量化が困難となる。また、ズームレンズの広角化が困難となる。また、第１１レンズ群の屈折力φ11が小さくなり、条件式（3）の下限を超えると、第１レンズ群のレンズ外径が大きくなり、小型軽量化が困難になる。また、ズームレンズの広角化が困難となったり、第１レンズ群と第２レンズ群のレンズ間隔の確保が困難となる。第１レンズ群の屈折力φ1が大きくなり、条件式（3）の下限を超えると、ズーム及びフォーカス全域で良好な光学性能の維持が困難となる。条件式（3）は、以下の範囲であることが更に好ましい。
0.5＜|φ11／φ1|＜1.0                           （3a）
【００４１】
条件式（4）は、正負レンズの部分分散比θの関係を規定したものである。条件式（4）の上限を超えると、望遠端軸上色収差の二次スペクトルの補正が困難となる。また、条件式（4）の下限を超えると、望遠端軸上色収差の二次スペクトルの補正が過剰となり、ズーム全域で軸上色収差と倍率色収差の性能バランスを維持するのが困難となる。条件式（4）は、以下の範囲であることが更に好ましい。
0.030＜ θ11a×（θ12an-θ12ap) ＜0.045         （4a）
【００４２】
条件式（5）は第１１レンズ群と第１３レンズ群のアッべ数の関係を規定したものである。条件式（5）を満たすことにより、ズーム及びフォーカス全域で軸上色収差と倍率色収差の適切な性能バランスを実現することができる。条件式（5）は、以下の範囲であることが更に好ましい。
0.6＜ν11a／ (ν13ap-ν13an) ＜3.5              （5a）
【００４３】
条件式（6）は第１３レンズ群と第１レンズ群の屈折力の関係を規定したものである。第１３レンズ群の屈折力φ13が大きくなり、条件式（6）の上限を超えると、望遠端で良好な光学性能の実現が困難となる。第１レンズ群の屈折力が小さくなり、条件式（6）の上限を超えると、第１レンズ群のレンズ外径が大きくなり小型軽量化が困難となる。また、ズームレンズの広角化が困難となる。また、第１３レンズ群の屈折力が小さくなり、条件式（6）の下限を超えると、第１レンズ群のレンズ外径が大きくなり、小型軽量化が困難になる。また、第１レンズ群と第２レンズ群のレンズ間隔の確保が困難となる。第１レンズ群の屈折力φ1が大きくなり条件式（6）の下限を超えると、ズーム全域及びフォーカス全域で良好な光学性能の維持が困難となる。条件式（6）は、以下の範囲であることが更に好ましい。
0.7＜φ13／φ1＜ 1.3                            （6a）
【００４４】
条件式（7）は広角化、高変倍比、小型軽量を実現する為に、第１レンズ群及び第２レンズ群の屈折力や、広角端及び望遠端の屈折力の関係を規定したものである。
φ1が小さくなり条件式（7）の下限を超えると、広角化及び小型軽量が困難となる。また、φ2が大きくなり条件式（7）の下限を超えると、ズーム全域で良好な光学性能の実現が困難となる。φ1が大きくなり条件式（7）の上限を超えると、ズーム及びフォーカス全域で良好な光学性能の維持が困難となる。また、φ2が小さくなり条件式（7）の上限を超えると、変倍比の確保や小型軽量が困難となる。条件式（7）は、以下の範囲であることが更に好ましい。
0.18＜|φ1／φ2|＜0.30                            （7a）
【００４５】
また、上記条件式（1）〜（7）の中で、平均値を用いて規定しているものがあるが、平板ガラス等、極端に屈折力が弱いレンズを入れると上記条件式の範囲から外れる場合がある。故に、極端に屈折力が弱いレンズを何枚入れても本発明に含むものとする。
【実施例１】
【００４６】
本発明の実施例１のズームレンズの広角端、物体距離無限遠合焦状態におけるレンズ断面図を図１に示す。
【００４７】
本実施例のズームレンズは、物体側から順に、第１レンズ群Ｆとしての正の屈折力を有する前玉レンズ群、第２レンズ群Ｖとしてのズーミングに際して移動する負の屈折力を有するバリエータ、第３レンズ群Ｃとしての負の屈折力を有するコンペンセータ、絞りＳＰ、第４レンズ群Ｒとしての結像作用を有する正の屈折力を有する固定のリレーレンズ群を有する。
【００４８】
第１レンズ群Ｆは、物体側から順に、合焦のためには移動しない第１１レンズ群と、合焦に際して光軸方向に移動する第１２レンズ群と、合焦のためには移動しない第１３レンズ群からなる。第２レンズ群Ｖは、光軸上を像面側へ単調に移動することにより、広角端から望遠端へのズーミングを行う。第３レンズ群Ｃは、ズーミングに伴う像面変動を補正するために光軸上を非直線的に移動する。バリエータＶとコンペンセータＣとで変倍系を構成する。Ｐは色分解プリズムや光学フィルタ−等であり、同図ではガラスブロックとして示している。Ｉは撮像面であり、本発明のズームレンズが接続される撮像装置の撮像素子の撮像面に対応し、ズームレンズからの光を受光する。
【００４９】
図２に、実施例１の広角端、レンズ第１面の頂点からの距離2.5mに合焦時の収差図を示す。図３に、望遠端、物体距離3.5ｍに合焦時の収差図を示す。図４に、望遠端、物体距離無限遠に合焦時の収差図を示す。図５に望遠端、物体距離が撮影可能な最至近距離0.85ｍに合焦時の収差図を示す。
【００５０】
収差図は、左から順に、球面収差、像面湾曲、歪曲、倍率色収差を示す。各収差図の横軸の単位は、球面収差、像面湾曲、倍率色収差はmm、歪曲は％である。球面収差、歪曲、倍率色収差において、実線はｅ線、二点鎖線はｇ線、一点鎖線はＣ線を示す。像面湾曲において、実線はｅ線のサジタル断面、点線はｅ線のメリジオナル断面、一点鎖線はｇ線のサジタル断面、二点斜線はg線のメリジオナル断面内での値を示す。以下の実施例においても同様に記載する。
【００５１】
以下、本実施例に対応する数値実施例を示す。
【００５２】
非球面形状は、次の式で表される。
【数１】
2014232313.tif 000003
ここで、Ａ３〜Ａ１２は非球面係数であり、非球面形状は、光軸からの高さＨの位置における、面頂点を基準とした光軸方向の変位ｘで表される。但しＲは近軸曲率半径、Ｋは円錐定数である。
【００５３】
本実施例における第１レンズ群は、第１面から第１６面に対応し、第１面から第４面の第１１レンズ群、第５面から第１０面の第１２レンズ群、第１１面から第１６面の第１３レンズ群からなる。
【００５４】
表１に、本実施例の望遠端でのg線の光軸近くの光線における結像位置について、物体距離無限遠合焦時の結像位置に対する、最至近距離合焦時の結像位置の変動量、及び各条件式対応値を示す。変動量は光軸に沿って結像面方向を正とする。
【００５５】
本実施例のズームレンズは、（1）、（5）式が下限に近いことを特徴とする。本数値実施例はいずれの条件式も満足しており、本発明によれば、第１レンズ群が簡易な構成で、無限遠物体から近距離物体に至る全フォーカス領域にわたり、性能の変動が抑制された良好な光学性能を達成している。
【００５６】
（数値実施例１）
単位 mm
面データ
面番号     r         d        nd        vd     θgF     有効径
1     326.535     3.12    1.69680    55.5    0.543    102.07
2      82.442    19.62                                 89.85
3    -169.843     2.90    1.64000    60.1    0.537     89.62
4      457.137   10.36                                 87.30
5    -1260.023    8.66    1.62041    60.3    0.543     85.61
6    -118.623     0.15                                 85.45
7     542.881     2.60    1.89676    23.0    0.611     79.70
8     120.218     0.06                                 78.25
9     119.37      9.87    1.49700    81.5    0.537     78.28
10    -458.06     11.23                                 78.19
11     162.023     9.71    1.43387    95.1    0.537     77.50
12    -211.577     0.15                                 77.67
13     127.700    10.54    1.59522    67.7    0.544     77.80
14    -245.288     0.15                                 77.48
15      51.206     6.88    1.59522    67.7    0.544     68.01
16      82.430    (可変)                                66.96
17     223.104     1.00    1.88300    40.8    0.567     28.44
18      18.464     6.08                                 23.50
19     -73.56 0    6.21    1.92286    18.9    0.650     22.81
20     -17.626     0.75    1.88300    40.8    0.567     22.21
21     284.333     0.19                                 21.05
22      27.750     4.47    1.56732    42.8    0.573     20.35
23    -429.295     2.31                                 19.04
24     -25.489     0.75    1.88300    40.8    0.567     18.43
25    -144.116    (可変)                                18.45
26     -29.430     0.75    1.81600    46.6    0.557     20.22
27      61.570     3.77    1.80810    22.8    0.631     21.85
28    -181.636    (可変)                                22.98
29(絞り) 0.000     1.30                                 27.09
30     827.779     5.35    1.67003    47.2    0.563     28.18
31     -34.493     0.14                                 29.04
32      60.461     4.63    1.51823    58.9    0.546     29.58
33    -139.516     0.20                                 29.37
34     110.651     6.14    1.48749    70.2    0.530     28.85
35     -34.259     1.15    1.88300    40.8    0.567     28.27
36     586.479    (可変)                                28.21
37      34.309     7.35    1.51823    58.9    0.546     28.91
38     -49.152     1.00                                 28.29
39    -172.357     1.00    1.88300    40.8    0.567     26.02
40      26.486     4.48    1.48749    70.2    0.530     24.43
41     152.332     0.50                                 24.08
42     117.611     6.70     1.48749   70.2    0.530     23.95
43     -19.443     1.00     1.88300   40.8    0.567     23.53
44     -38.198     1.18                                 24.04
45      51.241     3.38     1.48749   70.2    0.530     22.82
46    -624.228     4.50                                 22.15
47       0.000    33.00     1.60859   46.4    0.566     40.00
48       0.000    13.2      1.51633   64.2    0.535     40.00
49       0.000                                          40.00
非球面データ
第17面
K =-1.42317e+003  A 4= 3.79405e-005  A 6=-3.60242e-009  A 8=-2.54644e-010  A10= 2.12348e-012  A12=-4.16310e-015  
A 3= 9.41919e-006  A 5=-2.00743e-006  A 7= 4.85928e-009  A 9=-2.60328e-011  A11= 4.24769e-014  
第22面
K = 1.15980e+000  A 4=-1.49547e-005  A 6= 6.23650e-008  A 8=-1.26337e-009  A10=-1.91096e-012  A12= 7.54862e-014  
A 3=-4.26107e-005  A 5=-7.85671e-007  A 7=-2.81272e-009  A 9= 2.92291e-010  A11=-1.87611e-012  
各種データ
ズーム比     20.51 
広角     中間     望遠
焦点距離       6.80    41.21   139.50  
Fナンバー      1.97     1.95     2.69  
画角          38.97     7.60     2.26  
像高           5.50     5.50     5.50  
レンズ全長   325.99   325.99   325.99  
BF             8.65     8.65     8.65  
d16            2.03    42.89    53.18  
d25           56.69     9.85     9.08  
d28            4.85    10.81     1.30  
d36           35.30    35.30    35.30  
d49            8.65     8.65     8.65  
入射瞳位置    63.08   193.55   440.88  
射出瞳位置  1107.27  1107.27  1107.27  
前側主点位置  69.93   236.31   598.09  
後側主点位置   1.85   -32.56  -130.84  
ズームレンズ群データ
群  始面    焦点距離  レンズ構成長  前側主点位置  後側主点位置
1    1      55.34        95.98        62.95         17.36
2   17     -13.32        21.76         4.22         -9.02
3   26     -43.25         4.52        -0.48         -3.00
4   29      37.95        18.92         1.73        -10.09
5   37      53.71        77.30         9.13        -45.19
【実施例２】
【００５７】
本発明の実施例２のズームレンズの広角端、物体距離無限遠合焦状態におけるレンズ断面図を図６に示す。
【００５８】
本実施例のズームレンズは、物体側から順に、第１レンズ群Ｆとしての正の屈折力を有する前玉レンズ群、第２レンズ群Ｖとしてのズーミングに際して移動する負の屈折力を有するバリエータ、第３レンズ群Ｃとしての負の屈折力を有するコンペンセータ、絞りＳＰ、第４レンズ群Ｒとしての結像作用を有する正の屈折力を有する固定のリレーレンズ群を有する。
【００５９】
第１群Ｆは、物体側から像側へ順に、合焦のためには移動しない第１１レンズ群と、合焦に際して光軸方向に移動する第１２レンズ群と、合焦のためには移動しない第１３レンズ群からなる。第２レンズ群Ｖは、光軸上を物体側から像面側へ単調に移動させることにより、広角端から望遠端へのズーミングを行う。第３レンズ群Ｃは、ズーミングに伴う像面変動を補正するために光軸上を非直線的に移動する。バリエータＶとコンペンセータＣとで変倍系を構成する。Ｐは色分解プリズムや光学フィルタ−等であり、同図ではガラスブロックとして示している。Ｉは撮像面であり、本発明のズームレンズが接続される撮像装置の撮像素子の撮像面に対応し、ズームレンズからの光を受光する。
【００６０】
図７に、実施例２の広角端、レンズ第１面の頂点からの距離2.5mに合焦時の収差図を示す。図８に、望遠端、物体距離3.5ｍに合焦時の収差図を示す。図９に、望遠端、物体距離無限遠に合焦時の収差図を示す。図１０に、望遠端、物体距離が撮影可能な最至近距離0.85ｍに合焦時の収差図を示す。
【００６１】
本実施例における第１レンズ群は、第１面から第１８面に対応し、第１面から第４面の第１１レンズ群、第５面から第１０面の第１２レンズ群、第１１面から第１８面の第１３レンズ群からなる。
【００６２】
表１に、本実施例の望遠端でのｇ線の光軸近くの光線における結像位置について、物体距離無限遠合焦時の結像位置に対する、至近距離合焦時の結像位置の変動量、及び各条件式対応値を示す。変動量は光軸に沿って結像面方向を正とする。
【００６３】
本実施例のズームレンズは、（1）、(5)、（6）式が上限に近く、(2)、（3）、（4）、（7）式が下限に近いことを特徴とする。
【００６４】
本数値実施例はいずれの条件式も満足しており、本発明によれば、前記第１レンズ群が簡易な構成で、無限遠物体から近距離物体に至る全フォーカス領域にわたり、性能の変動が抑制された良好な光学性能を達成している。
【００６５】
（数値実施例２）
単位 mm
面データ
面番号     r         d        nd        vd     θgF     有効径
1     635.963     3.12    1.64000    60.1    0.537    106.03
2     132.576    13.35                                 97.52
3    -304.897     2.90    1.49700    81.5    0.537     97.40
4     168.803     1.92                                 91.87
5     184.712     9.75    1.43387    95.1    0.537     91.42
6    -384.210     0.15                                 90.90
7     252.194     2.60    1.84666    23.8    0.603     86.24
8     103.580     1.26                                 82.26
9     118.656    12.50    1.43387    95.1    0.537     82.24
10    -231.352    17.86                                 82.11
11     113.023    12.49    1.59522    67.7    0.544     76.80
12    -163.251     0.45                                 76.70
13    -161.806     2.37    1.77250    49.6    0.552     76.60
14    -399.495     0.15                                 76.80
15     103.772     9.10    1.49700    81.5    0.537     75.88
16   -1123.478     0.15                                 75.37
17      61.402     6.68    1.59522    67.7    0.544     68.07
18      104.593   (可変)                                66.45
19      211.537    1.00    1.88300    40.8    0.567     25.00
20       13.555    6.40                                 19.91
21      -48.675    5.92    1.92286    18.9    0.650     19.59
22      -16.822    0.75    1.88300    40.8    0.567     19.75
23      248.618    0.19                                 19.78
24       26.790    5.69    1.56732    42.8    0.573     19.94
25      -40.427    0.83                                 19.43
26      -35.916    0.75    1.88300    40.8    0.567     19.26
27     1266.739   (可変)                                19.54
28      -27.875    0.75    1.81600    46.6    0.557     20.24
29       64.230    3.80    1.80810    22.8    0.631     21.98
30     -137.856   (可変)                                23.12
31        0.000    1.30                                 27.36
32     -126.052    4.06    1.67003    47.2    0.563     27.77
33      -31.943    0.14                                 28.55
34       43.506    5.62    1.51823    58.9    0.546     30.11
35     -122.349    0.20                                 29.92
36       82.040    6.03    1.48749    70.2    0.530     29.26
37      -40.840    1.15    1.88300    40.8    0.567     28.62
38      177.690   (可変)                                28.31
39       37.769    6.86    1.51823    58.9    0.546     28.60
40      -50.856    1.00                                 28.04
41     -221.775    1.00    1.88300    40.8    0.567     25.98
42       28.189    4.40    1.48749    70.2    0.530     24.56
43      183.482    0.50                                 24.50
44       78.324    6.82    1.48749    70.2    0.530     24.55
45      -21.482    1.00    1.88300    40.8    0.567     24.40
46      -56.126    1.18                                 25.16
47       41.302    4.22    1.48749    70.2    0.530     25.26
48     -337.860    4.50                                 24.88
49        0.000   33.00    1.60859    46.4    0.566     40.00
50        0.000   13.20    1.51633    64.2    0.535     40.00
51        0.000                                         40.00
非球面データ
第19面
K =-1.42317e+003  A 4= 3.71629e-005  A 6= 1.91864e-009  A 8=-3.96049e-010  A10= 3.84440e-012  A12=-5.88236e-015  
A 3= 1.71450e-005  A 5=-2.01987e-006  A 7= 2.03343e-009  A 9=-3.39056e-012  A11=-6.48408e-014  
第24面
K = 1.15980e+000  A 4=-6.20631e-006  A 6= 5.61707e-008  A 8=-1.23147e-009  A10= 3.00740e-012  A12= 6.72120e-014  
A 3=-4.34636e-005  A 5=-1.05401e-006  A 7= 2.67413e-009  A 9= 1.75172e-010  A11=-1.68464e-012  
各種データ
ズーム比     20.51 
広角     中間     望遠
焦点距離       8.00    48.49   164.11  
Fナンバー      1.97     1.95     2.75  
画角          34.51     6.47     1.92  
像高           5.50     5.50     5.50  
レンズ全長   323.23   323.23   323.23  
BF             8.57     8.57     8.57  
d18            2.28    43.15    53.44  
d27           53.20     6.37     5.59  
d30            4.85    10.81     1.30  
d38           35.30    35.30    35.30  
d51            8.57     8.57     8.57  
入射瞳位置    74.85   255.58   599.66  
射出瞳位置  1200.00  1200.00  1200.00  
前側主点位置  82.90   306.04   786.38  
後側主点位置   0.57   -39.92  -155.55  
ズームレンズ群データ
群  始面    焦点距離  レンズ構成長  前側主点位置  後側主点位置
1    1      65.11        96.79        63.17          5.27
2   19     -13.32        21.52         1.64        -12.67
3   28     -43.25         4.55        -0.64         -3.19
4   31      37.95        18.49         1.26        -10.20
5   39      53.32        77.68         8.90        -45.46
【実施例３】
【００６６】
本発明の実施例３のズームレンズの広角端、物体距離無限遠合焦状態におけるレンズ断面図を図１１に示す。
【００６７】
本実施例のズームレンズは、物体側から順に、第１レンズ群Ｆとしての正の屈折力を有する前玉レンズ群、第２レンズ群Ｖとしてのズーミングに際して移動する負の屈折力を有するバリエータ、第３レンズ群Ｃとしての正の屈折力を有するコンペンセータ、絞りＳＰ、第４レンズ群Ｒとしての結像作用を有する正の屈折力を有する固定のリレーレンズ群を有する。
【００６８】
第１レンズ群Ｆは、物体側から像側へ順に、合焦のためには移動しない第１１レンズ群と、合焦に際して光軸方向に移動する第１２レンズ群と、合焦のためには移動しない第１３レンズ群からなる。第２レンズ群Ｖは、光軸上を物体側から像面側へ単調に移動することにより、広角端から望遠端へのズーミングを行う。第３レンズ群Ｃは、ズーミングに伴う像面変動を補正するために光軸上を非直線的に移動する。バリエータＶとコンペンセータＣとで変倍系を構成する。Ｐは色分解プリズムや光学フィルタ−等であり、同図ではガラスブロックとして示している。Ｉは撮像面であり、本発明のズームレンズが接続される撮像装置の撮像素子の撮像面に対応し、ズームレンズからの光を受光する。
【００６９】
図１２に実施例１の広角端、レンズ第１面の頂点からの距離3.5mに合焦時の収差図を示す。図１３に、望遠端、物体距離3.5ｍに合焦時の収差図を示す。図１４に望遠端、物体距離無限遠に合焦時の収差図を示す。図１５に望遠端、物体距離が撮影可能な最至近距離0.6ｍに合焦時の収差図を示す。
【００７０】
本実施例における第１レンズ群は、第１面から第１５面に対応し、第１面から第４面の第１１レンズ群、第５面から第７面の第１２レンズ群、第８面から第１５面の第１３レンズ群からなる。
【００７１】
表１に、本実施例の望遠端でのｇ線の光軸近くの光線における結像位置について、物体距離無限遠合焦時の結像位置に対する、至近距離合焦時の結像位置の変動量、及び各条件式対応値を示す。変動量は、光軸に沿って結像面方向を正とする。
【００７２】
本実施例は、（2）、(3)、（4）、（5）、（7）式が上限に近いことを特徴とする。
【００７３】
本数値実施例はいずれの条件式も満足しており、本発明によれば、第１レンズ群が簡易な構成で、無限遠物体から近距離物体に至る全フォーカス領域にわたり、性能の変動が抑制された良好な光学性能を達成している。
【００７４】
（数値実施例３）
単位 mm
面データ
面番号     r         d        nd        vd     θgF     有効径
1    1827.374     5.28    1.62041    60.3    0.543    202.67
2     151.905    40.99                                172.12
3    -336.820     4.34    1.59522    67.7    0.544    168.87
4     333.950    18.86                                161.03
5    -576.133     4.14    1.89676    23.0    0.611    160.33
6    8486.577    26.34    1.43875    94.9    0.534    160.59
7    -152.838    42.91                                160.72
8     498.689    21.62    1.43387    95.1    0.537    140.91
9    -206.241     0.20                                141.89
10     176.739     4.24    1.80000    29.8    0.602    142.92
11     126.249     0.15                                139.24
12     124.137    30.61   1.43387    95.1    0.537    139.51
13    -676.188     0.15                               138.69
14     181.430    13.56   1.59522    67.7    0.544    133.68
15    1495.754    (可変)                               132.59
16    -339.870     2.37    1.77250    49.5    0.552     57.57
17      38.827     2.25                                 48.15
18      39.734    12.50    1.80810    22.8    0.631     47.61
19    -119.206     1.42    1.75500    52.3    0.548     48.01
20      56.883    10.46                                 41.63
21     -68.034     1.42    1.88300    40.8    0.567     37.59
22     206.909    (可変)                                38.50
23      63.779    11.89    1.60311    60.6    0.541     54.14
24    -127.664     0.15                                 54.09
25     477.469     4.78    1.45600    90.3    0.534     53.39
26    -177.651     0.62                                 53.03
27    -312.583     1.88    1.80518    25.4    0.616     52.41
28      66.849     7.00    1.49700    81.5    0.537     51.23
29    1292.504     0.25                                 51.22
30      70.254     9.51    1.60311    60.6    0.541     51.28
31    -122.032    (可変)                                50.77
32       0.000     2.67                                 27.52
33     -86.165     1.50    1.75500    52.3    0.548     26.47
34      17.966     4.68    1.80810    22.8    0.631     24.93
35      42.830     5.00                                 24.57
36     -54.029     1.50    1.77250    49.6    0.552     24.61
37      44.067     5.40    1.60342    38.0    0.584     25.65
38     -28.982     1.98                                 25.79
39     -23.954     1.60    1.81600    46.6    0.557     25.67
40      77.096     5.88    1.59551    39.2    0.580     28.99
41     -29.020    18.76                                 29.33
42     -83.163     7.53    1.53172    48.8    0.563     36.46
43     -39.171     4.18                                 38.20
44     195.219     2.00    1.88300    40.8    0.567     38.28
45      35.281     9.48    1.49700    81.5    0.537     37.70
46     -98.039     0.19                                 38.18
47      97.193     9.59    1.48749    70.2    0.530     38.74
48     -37.015     2.00    1.72151    29.2    0.605     38.65
49    -137.205     0.20                                 39.45
50     136.692     8.41    1.48749    70.2    0.530     39.50
51     -45.320    13.04                                 39.29
52       0.000    33.00    1.60859    46.4    0.566     50.00
53       0.000    13.20    1.51633    64.2    0.535     50.00
54       0.000                                          50.00
非球面データ
第1面
K =-8.69519e+001  A 4=-3.47108e-010  A 6=-4.74203e-012  A 8=-4.20690e-014  A10= 7.94625e-018  A12= 3.19482e-022  
A 3= 1.20625e-007  A 5= 9.32151e-011  A 7= 1.52457e-012  A 9= 1.01796e-016  A11=-9.42635e-020  
第16面
K =-2.07514e+002  A 4= 4.08573e-007  A 6= 2.74421e-010  A 8= 1.19778e-013  A10= 5.67687e-018  A12=-8.47261e-018  
A 3=-1.27957e-006  A 5=-4.00784e-008  A 7= 1.23492e-010  A 9=-3.03665e-013  A11= 4.66186e-016  
第24面
K =-4.64153e+000  A 4= 1.49522e-006  A 6= 2.46711e-010  A 8=-2.17611e-012  A10=-9.19332e-016  A12=-5.08645e-018  
A 3=-3.66022e-006  A 5=-3.67979e-008  A 7= 3.69369e-011  A 9=-1.19861e-014  A11= 2.34421e-016  
第30面
K = 6.53399e-001  A 4=-5.20729e-007  A 6=-1.73166e-009  A 8=-3.26956e-012  A10= 1.15604e-015  A12=-2.48520e-018  
A 3=-4.48490e-006  A 5=-1.65097e-008  A 7= 4.44966e-011  A 9= 9.41486e-014  A11= 2.57580e-017  
各種データ
ズーム比     29.98 
広角     中間     望遠
焦点距離       6.00    26.17   179.90  
Fナンバー      1.55     1.55     2.30  
画角          42.51    11.87     1.75  
像高           5.50     5.50     5.50  
レンズ全長   614.53   614.53   614.53  
BF            11.83    11.83    11.83  
d15            2.66    79.66   120.52  
d22          166.35    76.63     1.18  
d31            2.00    14.71    49.30  
d54           11.83    11.83    11.83  
入射瞳位置   113.77   213.05   820.97  
射出瞳位置    92.11    92.11    92.11  
前側主点位置 120.22   247.76  1404.05  
後側主点位置   5.83   -14.35  -168.08  
ズームレンズ群データ
群  始面    焦点距離  レンズ構成長  前側主点位置  後側主点位置
1    1     110.18       213.39       138.47         73.19
2   16     -28.30        30.44        13.76         -6.52
3   23      48.00        36.07        11.35        -14.52
4   32      28.36       151.80        43.41         10.31
【００７５】
以上、本発明の好ましい実施例について説明したが、本発明はこれらの実施例に限定されないことはいうまでもなく、その要旨の範囲内で種々の変形及び変更が可能である。
【００７６】
【表１】
2014232313.tif 000004
【符号の説明】
【００７７】
Ｆ：正の屈折力を有する前玉レンズ群
11 ：合焦時に固定の部分系
12：合焦時に移動する正の部分系
13 : 合焦時に固定の部分系
Ｖ：負の屈折力を有するバリエータ
Ｃ：負または正の屈折力を有するコンペンセータ
ＳＰ：絞り
Ｒ：正の屈折力を有する固定レンズ群
【図１】
2014232313.tif 000005
【図２】
2014232313.tif 000006
【図３】
2014232313.tif 000007
【図４】
2014232313.tif 000008
【図５】
2014232313.tif 000009
【図６】
2014232313.tif 000010
【図７】
2014232313.tif 000011
【図８】
2014232313.tif 000012
【図９】
2014232313.tif 000013
【図１０】
2014232313.tif 000014
【図１１】
2014232313.tif 000015
【図１２】
2014232313.tif 000016
【図１３】
2014232313.tif 000017
【図１４】
2014232313.tif 000018
【図１５】
2014232313.tif 000019
【図１６】
2014232313.tif 000020
【図１７】
2014232313.tif 000021